(57)【特許請求の範囲】
【請求項１】
補修塗料を梱包する補修塗料梱包箱であって、
基材に打入された釘又は螺入されたネジの頭を前記基材と同系色の前記補修塗料で塗装して補修する作業に用いられる補修作業用テンプレートを備え、
前記補修作業用テンプレートは、前記補修塗料梱包箱にフラップとして一体に形成されており、前記補修塗料で塗装すべき範囲を示す図形状の目安部を有し、かつ前記釘又はネジの頭を前記目安部と見比べながら前記補修塗料で塗装して補修する作業に用いられることを特徴とする補修塗料梱包箱。
【請求項２】
前記目安部が打ち抜かれて形成されていることを特徴とする請求項１に記載の補修塗料梱包箱。
【請求項３】
前記補修作業用テンプレートが取り外し自在に形成されていることを特徴とする請求項１または２に記載の補修塗料梱包箱。
【発明の詳細な説明】
【技術分野】
【０００１】
本発明は、基材に釘を打入した箇所やネジを螺入した箇所の補修作業を行う際に用いられる補修作業用テンプレートを備えた補修塗料梱包箱に関するものである。
【背景技術】
【０００２】
近年、住宅の外観については美観を重視する傾向にあるため、窯業系外装材を金具留めにより設置することが普及している。他方、価格を抑えるため釘留めにより設置したいという要望も依然として多い。そのため、今後も釘留め用の窯業系外装材のシェアは半数を占めると予想されている。例えば、家屋などの外壁形成用の外装材を釘打ちやビス止めなどにより柱などに固定することが行われている（例えば、特許文献１参照）。また、金具留め用の窯業系外装材であっても、全ての箇所を金具で留めることは実際上困難であるため、住宅の最上段に設置する窯業系外装材や、窯業系外装材に形成された開口部の周辺箇所は釘で留めるようにしている。
【先行技術文献】
【特許文献】
【０００３】
【特許文献１】特開２００２−６１３０７号公報
【発明の概要】
【発明が解決しようとする課題】
【０００４】
特許文献１に記載されているように、外装材を釘打ちやビス止め等により固定する場合において、外装材の色と釘やビス等の頭の色とが著しく相違していると、釘やビス等の頭が目立ち、美観を損なうおそれがある。そのため、図４のように釘２やビス等の頭４を外装材（基材１）と同系色の補修塗料５で塗装して補修する作業を行う必要がある。
【０００５】
しかし、上記のような補修作業を行う場合、本来、図４（ｂ）のように補修塗料５が釘２やビス等の頭４をごくわずかに超える程度で塗装すべきところ、作業者は漫然と塗装しがちになるため、図４（ｃ）のように補修塗料５が釘２やビス等の頭４を大きく超えて周囲に広がることが多く、かえって補修箇所が目立ち、美観を損なうという問題がある。
【０００６】
本発明は上記の点に鑑みてなされたものであり、補修作業を行う作業者の注意を喚起し、補修すべき箇所を目立たないように塗装させることができる補修塗料梱包箱を提供することを目的とするものである。
【課題を解決するための手段】
【０００７】
本発明に係る補修塗料梱包箱は、補修塗料を梱包する補修塗料梱包箱であって、基材に打入された釘又は螺入されたネジの頭を前記基材と同系色の前記補修塗料で塗装して補修する作業に用いられる補修作業用テンプレートを備え、前記補修作業用テンプレートは、前記補修塗料梱包箱にフラップとして一体に形成されており、前記補修塗料で塗装すべき範囲を示す図形状の目安部を有し、かつ前記釘又はネジの頭を前記目安部と見比べながら前記補修塗料で塗装して補修する作業に用いられることを特徴とするものである。
【０００８】
前記補修塗料梱包箱において、前記目安部が打ち抜かれて形成されていることが好ましい。
【００１０】
前記補修塗料梱包箱において、前記補修作業用テンプレートが取り外し自在に形成されていることが好ましい。
【発明の効果】
【００１２】
本発明に係る補修作業用テンプレートによれば、補修作業を行う作業者の注意を喚起し、補修すべき箇所を目立たないように塗装させることができるものである。また、必要以上に補修箇所が大きくなることを抑制することで、補修塗料の使用量を削減することができるものである。
【図面の簡単な説明】
【００１３】
【図１】（ａ）は本発明に係る補修作業用テンプレートの一例を示す平面図、（ｂ）は本発明に係る補修作業用テンプレートの他の一例を示す平面図である。
【図２】本発明に係る補修塗料梱包箱の一例を示すものであり、（ａ）は蓋を閉じた状態を示す斜視図、（ｂ）は蓋を開けた状態を示す斜視図、（ｃ）は中間仕切りを示す平面図である。
【図３】補修塗料等の一例を示すものであり、（ａ）は１色セットの斜視図、（ｂ）は２色セットの斜視図である。
【図４】補修作業後の補修箇所を示すものであり、（ａ）は断面図、（ｂ）は良い例の平面図、（ｃ）は悪い例の平面図である。
【発明を実施するための形態】
【００１４】
以下、本発明の実施の形態を説明する。
【００１５】
図１（ａ）は本発明に係る補修作業用テンプレート６の一例を示すものである。この補修作業用テンプレート６は、図４に示すように、基材１に打入された釘２又は螺入されたネジ３（ビスも含む）の頭４を基材１と同系色の補修塗料５で塗装して補修する作業（タッチアップ）に用いられるものである。なお、図４（ａ）では胴縁２２に通気防水シート２３を介して外装材として基材１を設置し、胴縁２２に到達するまで基材１に釘２を打入又はネジ３を螺入して基材１を胴縁２２に固定する例を示している。
【００１６】
具体的には、補修作業用テンプレート６は、例えば、厚紙又は板紙等を用いて板状又はシート状に形成されている。また、図１（ａ）に示す補修作業用テンプレート６は、略矩形状に形成されているが、この形状に限定されるものではない。
【００１７】
そして、補修作業用テンプレート６には、目安部７が形成されている。この目安部７は、補修塗料５で塗装すべき範囲を示す図形状に設けられている。例えば、釘２又はネジ３の頭４は直径約５ｍｍ程度の円形であり、この場合、補修塗料５で塗装すべき範囲は釘２又はネジ３の頭４を含む直径約７ｍｍ程度の円形内の範囲であるから、目安部７は、直径約７ｍｍ程度の円形状に描いて設けることができる。このような目安部７は、補修塗料５と略同色に塗装してもよいが、打ち抜かれて形成されていることが好ましい。このように打ち抜かれていると、補修作業を行う作業者が、補修塗料５で塗装すべき範囲を視覚により確認することができるのみならず、実際に目安部７を指で触るなどして上記の範囲をあらかじめ触覚により確認しておくこともできるものである。また、図示省略しているが、目安部７は、打ち抜きにより補修作業用テンプレート６の端縁において開口する略半円状に形成してもよい。このような目安部７を補修箇所に当てると、補修塗料５で塗装すべき範囲を容易に見極めることができ、この範囲を大きく超えないように塗装することができるものである。また、目安部７は、長さ約７ｍｍ程度の目盛りによって形成してもよい。また、目安部７の近傍の余白に例えば「※釘頭補修サイズ（φ７ｍｍ）の目安にご利用下さい。」という注意書きを記載してもよい。
【００１８】
図１（ｂ）は本発明に係る補修作業用テンプレート６の他の一例を示すものである。この補修作業用テンプレート６は、図２に示すような補修塗料梱包箱８に一体に形成されている以外は、図１（ａ）に示す補修作業用テンプレート６と同様に形成されている。
【００１９】
補修塗料梱包箱８は、図３に示すような補修塗料５を梱包するものであり、補修塗料５のほか、補修作業に関する説明書９やハケ１０等が梱包されていてもよい。補修塗料梱包箱８は、厚紙又は板紙等を用いて図２（ａ）のように直方体状に形成され、図２（ｂ）のように上面に開口を設けて形成されている。開口の一辺には蓋１１が開閉自在に設けられ、この蓋１１の先端には差込片１２が設けられている。また、蓋１１が設けられた開口の一辺に隣り合う二辺にはフラップ１３が対向して設けられている。そして、各フラップ１３を開口側に倒した後、蓋１１が設けられた開口の一辺に対向する辺に沿って差込片１２を開口内に差し込むことによって、図２（ａ）のように蓋１１を閉じることができるものであり、逆に差込片１２を開口内から引き抜くことによって、図２（ｂ）のように蓋１１を開けることができるものである。このように、図２に示す補修塗料梱包箱８はいわゆるＢ式のものであるが、これに限定されるものではない。なお、補修塗料梱包箱８の側面１４及び蓋の上面１５には、会社名、品番、セット数、使用期限、ロット、梱包内容、注意書き、危険有害性情報、タッチアップのポイント等を記載してもよい。
【００２０】
そして、図１（ｂ）に示す補修作業用テンプレート６は、例えばフラップ１３として補修塗料梱包箱８に一体に形成されている。そのため、補修作業用テンプレート６を補修塗料５等と共に補修現場に携行することができるものである。さらに補修作業用テンプレート８は、図１（ｂ）に示すように、ミシン目１６を切断補助手段として設けることによって取り外し自在に形成されている。そのため、必要に応じてミシン目１６で切り離すことによって、補修作業用テンプレート６を補修塗料梱包箱８から容易に取り外して用いることができるものである。なお、補修塗料梱包箱８が紙のようにカッターや手などによって容易に切断できる材料で形成されている場合には、ミシン目１６や薄肉部（図示省略）などの切断補助手段を設けなくてもよいものである。
【００２１】
また、図１（ａ）に示す補修作業用テンプレート６であっても、補修塗料５等と共に補修塗料梱包箱８に同梱されていれば、補修作業用テンプレート６を補修塗料５等と共に補修現場に携行することができるものである。この場合、図１（ｂ）に示す補修作業用テンプレート６が追加的に補修塗料梱包箱６に一体に形成されていてもよい。
【００２２】
補修塗料５としては、基材１と同系色のものであれば特に限定されるものではないが、例えば、一液性の上塗り剤や、図３（ａ）に示すような二液性で１色の上塗り剤１７（主剤１７ａ及び硬化剤１７ｂの組が１組）や、図３（ｂ）に示すような二液性で２色の上塗り剤１７，１８（主剤１７ａ，１８ａ及び硬化剤１７ｂ，１８ｂの組が２組）等を用いることができる。補修塗料５の色数は基材１の種類に応じて増減する。そして、図３（ａ）に示すものは、１色の上塗り剤１７、プライマー１９、これらの専用のハケ１０、説明書９によって１色セットが構成され、図３（ｂ）に示すものは、２色の上塗り剤１７，１８、プライマー１９、これらの専用のハケ１０、説明書９によって２色セットが構成されている。このような補修塗料５は、図２（ｃ）に示すような中間仕切り２０を用いて補修塗料梱包箱８に梱包することができる。中間仕切り２０は、例えば、厚紙又は板紙等を用いて板状又はシート状に形成され、略円形状のミシン目２１を複数設けて形成されている。各ミシン目２１は、その直径が補修塗料５のビンの外径に略等しくなるように設けられている。上記のように形成された中間仕切り２０は、補修塗料梱包箱８の内部において補修塗料５のビンの高さよりも低い位置に設置されている。そして、補修塗料５のビンの数に応じてミシン目２１で囲まれた箇所を打ち抜いて挿入口を形成し、この挿入口に補修塗料５のビンを挿入することによって、補修塗料５のビンを倒れないように固定して補修塗料梱包箱８に梱包することができる。なお、本発明の実施の形態においては、二液性で１色の上塗り剤１７や二液性で２色の上塗り剤１７，１８以外にプライマー１９を補修塗料梱包箱８に梱包する例について説明しているが、プライマー１９を使用することなく一液性や二液性の上塗り剤（色数は問わない）のみで補修作業を行う場合には、プライマー１９は補修塗料梱包箱８に梱包する必要はないものである。
【００２３】
次に補修作業について説明する。補修現場における補修箇所は、図４に示すように基材１に釘２を打入した箇所やネジ３を螺入した箇所である。基材１としては、窯業系等の外装材及び内装材等を例示することができるが、これらに限定されるものではない。そして、補修作業用テンプレート６を一体に備えた補修塗料梱包箱８が補修現場に運び込まれ、補修作業を開始する作業者がこの蓋１１を開けると、例えばフラップ１３として形成された補修作業用テンプレート６がまず作業者の目に入る。補修作業用テンプレート６を別体として備えた補修塗料梱包箱８の場合も同様である。補修作業用テンプレート６には普段見たことのない目安部７が形成されているので、この目安部７によって補修作業を行う作業者の注意を喚起することができる。そして、まず補修箇所を清掃乾燥すると共に、主剤１７ａ及び硬化剤１７ｂを混合攪拌することによって上塗り剤１７を調合しておく。次に、基材１に打入された釘２又は螺入されたネジ３の頭４にプライマー１９を専用のハケ１０で塗布する。このとき作業者は、補修作業を開始する際に補修作業用テンプレート６の目安部７を見たばかりであるので、プライマー１９が釘２やネジ３の頭４を大きく超えないようにプライマー１９の塗布を慎重に行うようになる。ここで、補修塗料梱包箱８が補修作業用テンプレート６を一体に備えるものである場合に、補修作業用テンプレート６が取り外し自在に形成されていれば、作業者は、補修作業用テンプレート６を取り外して別体とし、これに形成された目安部７と補修箇所とを見比べながらプライマー１９の塗布をさらに慎重に行うようになる。補修作業用テンプレート６が最初から別体として備えられた補修塗料梱包箱８の場合も同様である。そして、塗布したプライマー１９が乾燥すると、この箇所に基材１と同系色の上塗り剤１７を専用のハケ１０で塗布する。このとき作業者は、プライマー１９の塗布を補修作業用テンプレート６の目安部７を意識しながら行ったばかりであるので、上塗り剤１７が釘２やネジ３の頭４を大きく超えないように上塗り剤１７の塗布も慎重に行うようになる。このとき補修作業用テンプレート６が別体となっていれば、作業者は、再度補修作業用テンプレート６の目安部７と補修箇所とを見比べながら上塗り剤１７の塗布をさらに慎重に行うようになる。その結果、補修作業後の補修箇所は、図４（ｂ）のように補修塗料５が釘２やネジ３の頭４をごくわずかに超える程度で塗装されることになる。もちろん補修塗料５が釘２やネジ３の頭４のみに塗装されていてもよい。このように、補修作業用テンプレート６の目安部７によって、補修すべき箇所を目立たないように作業者に塗装させることができるものである。また、必要以上に補修箇所が大きくなることを抑制することで、補修塗料の使用量を削減することができるものである。なお、本発明の実施の形態においては、基材１に釘２を打入した箇所やネジ３を螺入した箇所を補修箇所とする補修作業について説明しているが、この補修箇所と同程度の大きさのキズ等を補修する場合にも、補修作業用テンプレート及び補修塗料梱包箱を適用することができるものである。
【符号の説明】
【００２４】
１  基材
２  釘
３  ネジ
４  頭
５  補修塗料
６  補修作業用テンプレート
７  目安部
８  補修塗料梱包箱
【図１】
0005774878.tif 000002
【図２】
0005774878.tif 000003
【図３】
0005774878.tif 000004
【図４】
0005774878.tif 000005